(57)【要約】【課題】  接続対象の携帯電話が不在であっても、その携帯電話に接続するまで接続動作を繰り返すような、無駄な電波送出を防ぎつつも、携帯電話との自動接続を確実に行うことができるハンズフリー通話装置を提供する。【解決手段】  車室内に配置され、この車室内の無線通信端末との無線接続を自動接続により確立し、データ通信することによって前記無線通信端末をハンズフリーで使用可能とする通話装置において、前記無線通信端末と前記通話装置との自動接続動作の周期を、車速に応じて変化させる周期設定部を備えた。【選択図】      図６
2006129115.tif 000002
【特許請求の範囲】
【請求項１】
車室内に配置され、この車室内の無線通信端末との無線接続を自動接続により確立し、データ通信することによって前記無線通信端末をハンズフリーで使用可能とする通話装置において、
前記無線通信端末と前記通話装置との自動接続動作の周期を、車速に応じて変化させる周期設定部を備えたことを特徴とする通話装置。
【請求項２】
前記周期設定部は、前記自動接続動作の周期を、車速が速くなるほど長く設定することを特徴とする請求項１に記載の通話装置。
【請求項３】
車速を検出する車速検出部を備え、前記周期設定部は前記検出された車速に基づいて前記周期を設定することを特徴とする請求項１又は２のいずれか一項に記載の通話装置。
【請求項４】
車室内に配置され、この車室内の無線通信端末との無線接続を自動接続により確立し、データ通信することによって該無線通信端末をハンズフリーで使用可能とする通話装置において、
前記自動接続動作を行う自動接続部と、前記自動接続動作を車両が停止しているときに行い、車両が動いているときには禁止する自動接続制御部と、を備えたことを特徴とする通話装置。
【請求項５】
ドアの開閉を検出する開閉センサーを有し、前記車両の停止をドアの開閉により検出する停止検出部を備えたことを特徴とする請求項４に記載の通話装置。
【請求項６】
車室内に配置され、この車室内の無線通信端末との無線接続を自動接続により確立し、データ通信することによって該無線通信端末をハンズフリーで使用可能とする通話装置を制御する制御方法において、
車速を検出する過程と、
前記無線通信端末と前記通話装置との自動接続動作の周期を、前記検出した車速に応じて変化させる過程と、を備えたことを特徴とする通話装置の制御方法。
【請求項７】
車室内に配置され、この車室内の無線通信端末との無線接続を自動接続により確立し、データ通信することによって該無線通信端末をハンズフリーで使用可能とする通話装置を制御する制御方法において、
車両の停止を検出する過程と、
前記車両の停止を検出して、前記無線通信端末と前記通話装置との自動接続動作を行う過程と、を備えたことを特徴とする通話装置の制御方法。
【請求項８】
車室内に配置され、この車室内の無線通信端末との無線接続を自動接続により確立し、データ通信することによって該無線通信端末をハンズフリーで使用可能とする通話装置を、コンピューターにより制御するための制御プログラムにおいて、
車速を検出させ、
前記無線通信端末と前記通話装置との自動接続動作の周期を、前記検出した車速に応じて変化させることを特徴とする制御プログラム。
【請求項９】
車室内に配置され、この車室内の無線通信端末との無線接続を自動接続により確立し、データ通信することによって該無線通信端末をハンズフリーで使用可能とする通話装置を、コンピューターにより制御するための制御プログラムにおいて、
車両の停止を検出させ、
前記車両の停止を検出して、前記無線通信端末と前記通話装置との自動接続動作を行うことを特徴とする制御プログラム。
【請求項１０】
請求項８又は９に記載の制御プログラムを記録したことを特徴とするコンピューター読み取り可能な記録媒体。
【発明の詳細な説明】
【技術分野】
【０００１】
本発明は、通話装置、記録媒体再生装置、目的地までの誘導経路を探索するナビゲーション装置、その制御方法、制御プログラム及び記録媒体に関する。
【背景技術】
【０００２】
自動車等の車室内において、ユーザーが携帯電話機を把持せずとも、携帯電話機を使用して、いわゆるハンズフリー通話を可能とするハンズフリー通話装置が知られている。この種のハンズフリー通話装置と携帯電話機からなるハンズフリーシステムにおいては、ハンズフリー通話装置と携帯電話機との通信接続を有線ではなく、近距離無線によって行うものが提案されている（例えば、参考文献１参照）。
【特許文献１】特開２００３−４７０５４号公報
【発明の開示】
【発明が解決しようとする課題】
【０００３】
しかしながら、上記従来の技術にあっては、事前に接続すべき携帯電話として特定した携帯電話が車室内に不在であっても、ハンズフリーシステムはその携帯電話に接続するまで接続動作をいつまでも繰り返すこととなっていた。
【０００４】
これを回避するために、電源投入時（ＡＣＣがＯＮ）と電源投入後の一定の時間に亘ってのみ接続動作を行うようにする方法等が考えられるが、この方法によると、例えば電源投入後の一定の時間を越えた後に乗車した場合などは、自動接続を行うことができないという新たな課題が生じることとなる。
【０００５】
本発明は、上述した事情に鑑みてなされたものであり、接続対象の携帯電話が不在であっても、その携帯電話に接続するまで接続動作を繰り返すような、無駄な電波送出を防ぎつつも、携帯電話との自動接続を確実に行うことができるハンズフリー通話装置を提供することを目的としている。
【課題を解決するための手段】
【０００６】
本発明は、車室内に配置され、この車室内の無線通信端末との無線接続を自動接続により確立し、データ通信することによって前記無線通信端末をハンズフリーで使用可能とする通話装置において、前記無線通信端末と前記通話装置との自動接続動作の周期を、車速に応じて変化させる周期設定部を備えたことを特徴とする。
【０００７】
この場合において、前記周期設定部は、前記自動接続動作の周期を、車速が速くなるほど長く設定してもよい。車速を検出する車速検出部を備え、前記周期設定部は前記検出された車速に基づいて前記周期を設定してもよい。
【０００８】
また、車室内に配置され、この車室内の無線通信端末との無線接続を自動接続により確立し、データ通信することによって該無線通信端末をハンズフリーで使用可能とする通話装置において、前記自動接続動作を行う自動接続部と、前記自動接続動作を車両が停止しているときに行い、車両が動いているときには禁止する自動接続制御部と、を備えたことを特徴とする。
【０００９】
この場合において、ドアの開閉を検出する開閉センサーを有し、前記車両の停止をドアの開閉により検出する停止検出部を備えてもよい。
【００１０】
また、車室内に配置され、この車室内の無線通信端末との無線接続を自動接続により確立し、データ通信することによって該無線通信端末をハンズフリーで使用可能とする通話装置を制御する制御方法において、車速を検出する過程と、前記無線通信端末と前記通話装置との自動接続動作の周期を、前記検出した車速に応じて変化させる過程と、を備えたことを特徴とする。
【００１１】
また、車室内に配置され、この車室内の無線通信端末との無線接続を自動接続により確立し、データ通信することによって該無線通信端末をハンズフリーで使用可能とする通話装置を制御する制御方法において、車両の停止を検出する過程と、前記車両の停止を検出して、前記無線通信端末と前記通話装置との自動接続動作を行う過程と、を備えたことを特徴とする。
【００１２】
また、車室内に配置され、この車室内の無線通信端末との無線接続を自動接続により確立し、データ通信することによって該無線通信端末をハンズフリーで使用可能とする通話装置を、コンピューターにより制御するための制御プログラムにおいて、車速を検出させ、前記無線通信端末と前記通話装置との自動接続動作の周期を、前記検出した車速に応じて変化させることを特徴とする。
【００１３】
また、車室内に配置され、この車室内の無線通信端末との無線接続を自動接続により確立し、データ通信することによって該無線通信端末をハンズフリーで使用可能とする通話装置を、コンピューターにより制御するための制御プログラムにおいて、車両の停止を検出させ、前記車両の停止を検出して、前記無線通信端末と前記通話装置との自動接続動作を行うことを特徴とする。
【００１４】
また、本発明は、コンピューター読み取り可能な記録媒体において、前記制御プログラムを記録したことを特徴とする。
【発明の効果】
【００１５】
本発明によれば、接続動作による無駄な電波送出を防ぐことができる。
【発明を実施するための最良の形態】
【００１６】
以下、図面を参照しつつ本発明による二つの実施形態について説明する。
図１は、第一実施形態に係るハンズフリー通話装置１０の機能構成を示すブロック図である。
【００１７】
このハンズフリー通話装置１０は、複数の携帯電話機１００ａ、１００ｂを同時接続でき、これら携帯電話機（電話端末）１００ａ、１００ｂを介してハンズフリー通話を可能にする装置である。本実施形態では、このハンズフリー通話装置１０は、ケーブル１１を介して一又は複数の携帯電話機１００ａが有線接続可能であり、また、近距離無線通信により一又は複数の携帯電話機１００ｂが無線接続可能に構成されている。
【００１８】
また、このハンズフリー通話装置１０に接続可能な携帯電話機１００ａ、１００ｂは、移動通信網（図示略）を介して他の携帯電話機や固定電話と通話通信するものであり、内蔵スピーカーや内蔵マイク、電話通信のための通信部、音声通信やデータ通信のための通信端子といった一般的な構成を具備するものである。但し、ハンズフリー通話装置１０と近距離無線通信を行う携帯電話機１００ｂについては、Ｂｌｕｅｔｏｏｔｈ（登録商標）規格に準拠して近距離無線通信するための近距離無線通信モジュールをさらに具備するものである。なお、この近距離無線通信モジュールを具備した携帯電話機がケーブル１１を介して接続されてもよく、この場合、ハンズフリー通話装置１０は、ケーブル１１を介して接続された携帯電話機と近距離無線通信を行わないものとする。
【００１９】
図１に示すように、このハンズフリー通話装置１０において、制御部（通話制御手段）２０は、ＣＰＵを備え、このハンズフリー通話制御を行うコンピューターとして機能する。また、制御部２０は、携帯電話機１００から出力された音声（受話音声）を外部に設けられたスピーカーに出力し、対応する音声を放音させる。ここで、このハンズフリー通話装置１０が自動車の室内に配置される場合は、直接又はカーオーディオ装置を介してスピーカーに音声信号を出力するように構成される。また、記憶部２１は、制御部２０によって実行される制御プログラムや各種データを記憶するものである。
【００２０】
接続部（接続手段）２２は、このハンズフリー通話装置１０に複数の携帯電話機１００ａ、１００ｂを音声通信可能に接続するものであり、携帯電話機１００ａとそれぞれケーブル１１を介して接続される通信インターフェース（通信Ｉ／Ｆ）２３と、携帯電話機１００ｂと近距離無線通信する無線通信部２４とを有する。
【００２１】
詳述すると、通信Ｉ／Ｆ（有線接続手段）２３は、各携帯電話機１００ａの通信端子とケーブル１１を介して接続され、制御部２０の制御の下、携帯電話機１００ａと音声通信等を行う。これにより、この通信Ｉ／Ｆ２３は、携帯電話機１００ａから出力された着信トリガー信号（着信音声の信号も含む）等を入力できる。また、制御部２０は各種制御コマンドを出力して、携帯電話機１００ａの内蔵スピーカーからの音声出力及び内蔵マイクからの音声入力を禁止して通信端子から音声入出力を行う動作モード（以下、ハンズフリーモードという。）への切り替えや、内蔵スピーカーの音声出力及び内蔵マイクからの音声入力を許可して単独使用可能な動作モード（以下、通常モードという。）への切り替え等を行うことが可能となっている。
【００２２】
また、無線通信部（無線接続手段）２４は、携帯電話機１００ｂが備える近距離無線モジュールと同様に、Ｂｌｕｅｔｏｏｔｈ規格に準拠して近距離無線通信するためのものであり、周囲に通信エリアを形成し、この通信エリアに在圏する携帯電話機１００ｂと無線通信する。これにより、この無線通信部２４は、制御部２０の制御の下、通信エリアに在圏する携帯電話機１００ｂと通信同期を確立し、各携帯電話機１００ｂから無線送信される着信トリガー信号（着信音声の信号も含む）の受信や、音声通信等が可能となっている。
【００２３】
操作部２５は、電話番号の入力等を行うためのテンキーや通話指示等を行うための操作子を備えている。表示部２６は、各種情報を表示するものであり、例えば、液晶表示パネルや液晶駆動回路等から構成される。収音部２７は、ユーザーの音声（送話音声）を収音し、音声信号に変換して制御部２０に出力するものであり、マイクやアンプ等から構成される。制御部２０は、収音部２７からの音声信号に対し、エコーキャンセル処理を施す。
【００２４】
ハンズフリー通話装置１０の制御部２０の構成を図２に示す。この制御部２０には、ラジオ、ＣＤの再生等の機能を司る被制御回路３０が、ハンズフリー通話装置１０のシステムを司るシステム制御回路３１に接続されている。システム制御回路３１には、新たに無線通信制御回路３２が接続されている。この無線通信制御回路３２は、変調回路３６、出力回路３７及びアンテナ３８で構成される送信系回路と、復調回路３９、増幅回路４０及び送信系回路と共通のアンテナ３８で構成される受信系回路とで構成される。また、システム制御回路３１にはその他に、入力Ｉ／Ｆ３３、自動接続先記憶用データベース３４、通信制御回路３５が接続されており、自動接続先記憶用データベース３４は自動接続先の情報を記憶し、通信制御回路３５はセンサー４１との通信を制御している。
【００２５】
図３に携帯電話機１００の構成を示す。この携帯電話機１００では、電話機本体の機能を司り、電話制御回路等を含む被制御回路５０が携帯電話機のシステムを司るシステム制御回路５１に接続される。システム制御回路５１には、新たに、電話番号を保存する電話番号保存メモリー５３と無線通信制御回路５２が接続されており、この無線通信制御回路５２は、変調回路５４、出力回路５５及びアンテナ５６で構成される送信系回路と、復調回路５７、増幅回路５８及び送信系回路と共通のアンテナ５６で構成される受信系回路とで構成される。
【００２６】
次いで、ハンズフリー通話装置１０の動作を説明する。
このハンズフリー通話装置１０において、制御部２０は、通信Ｉ／Ｆ２３及び無線通信部２４に接続される携帯電話機１００ａ、１００ｂを検出し、登録する処理を実行する。より具体的には、制御部２０は、通信Ｉ／Ｆ２３の各ポートに所定の応答要求を送信し、その応答が返ってくるかを検出することにより携帯電話機１００ａが接続（追加接続）されたことを検出し、検出された携帯電話機１００の情報（識別コード  等）を記憶部２１に記憶させる。そして、携帯電話機１００ａが新たに接続されたことを検出すると、制御部２０は、ハンズフリーモードへの切り替えを指示する制御コマンドを通信Ｉ／Ｆ２３を介して送信し、全ての携帯電話機１００ａをハンズフリーモードに移行させる。
【００２７】
また、制御部２０は、無線通信部２４により通信エリアに在圏する携帯電話機１００ｂを問い合わせる処理を実行させ、周囲の携帯電話機１００ｂとの通信同期を確立させると共に、各携帯電話機１００ｂから自装置１０宛に着信トリガー信号が送信されるように設定し、検出された携帯電話機１００ｂの情報（識別コード等）を記憶部２１に記憶させる。また、制御部２０は、無線通信部２４によりハンズフリーモードへの切り替えを指示する制御コマンドを送信し、全ての携帯電話機１００ｂをハンズフリーモードに移行させる。
【００２８】
なお、ここでは、携帯電話機１００ｂが無線通信によりハンズフリーモードや通常モードに移行する機能を具備する場合を例に説明するが、無線通信では動作モードの切り替えができない場合等は、その携帯電話機１００ｂは常時、通常モードで動作するものとする。
【００２９】
ここで、記憶部２１には、例えば、有線接続された携帯電話機１００ａの情報を記憶させる記憶領域と、無線接続された携帯電話機１００ｂの情報を記憶させる記憶領域とを分けておく、或いは、有線接続された携帯電話機１００ａと無線接続された携帯電話機１００ｂとを判別可能なテーブルを作成するといった方法により、少なくとも、有線接続された携帯電話機１００ａと無線接続された携帯電話機１００ｂとを判別可能に記憶されるようになっている。
【００３０】
次に、このハンズフリー通話装置１０の電話発信時の動作を説明する。
図４は、この場合の動作を示すフローチャートである。
制御部２０は、ユーザーから操作部２５を介して通話指示（発信のための通話指示）が入力されると、記憶部２１の記憶内容に基づいて携帯電話機１００ａ、１００ｂのいずれかが接続されているかを判定する（ステップＳ１）。ステップＳ１の判定において、携帯電話機１００ａ、１００ｂのいずれも接続されていない場合（ステップＳ１：ＮＯ）、制御部２０は、電話発信できない旨のメッセージを表示部２６に表示させ、或いは、その旨の音声をスピーカーから放音させる、といった報知処理を行った後に、この電話発信処理を終了する。
【００３１】
一方、携帯電話機１００ａ、１００ｂのいずれかが接続されている場合（ステップＳ１：ＹＥＳ）、制御部２０は、有線接続された携帯電話機１００ａが存在するか否かを判定する（ステップＳ２）。そして、有線接続された携帯電話機１００ａが存在する場合（ステップＳ２：ＹＥＳ）、制御部２０は、有線接続された１台の携帯電話機１００ａを使用対象の携帯電話機に設定し、その他の携帯電話機１００ｂを通常モードに移行させるべく、無線通信部２４（及び通信Ｉ／Ｆ２３）を介して制御コマンドを送信する（ステップＳ３）。これにより、他の携帯電話機１００ｂ（及び１００ａ）は通常モードへ移行し、単独使用が可能となる。なお、有線接続された携帯電話機１００ａが複数存在する場合は、予め定めた優先条件（例えば、通信Ｉ／Ｆ２３の接続ポートの番号が小さい方を優先する）に従って最も優先度の高い携帯電話機１００ａを使用対象の携帯電話機に設定すればよい。
【００３２】
次いで、制御部２０は、操作部２５及び表示部２６を、選択した携帯電話機１００ａの操作に割り当てる（ステップＳ４）。ユーザーが操作部２５を介して電話番号や発信指示を入力すると、制御部２０は通信Ｉ／Ｆ２３を介してその携帯電話機１００ａに対応するデータや発呼コマンドを送信することにより、携帯電話機１００ａに発信処理を実行させる（ステップＳ５）。この場合、制御部２０は、通信Ｉ／Ｆ２３を介して携帯電話機１００ａから入力した音声（受話音声）をスピーカーから放音させると共に、収音部２７を介して入力したユーザーの音声（送話音声）を通信Ｉ／Ｆ２３を介して携帯電話機１００ａに出力することにより、ユーザーはハンズフリー通話を行うことができる。
【００３３】
このとき、制御部２０は通話もしくは発信が終了したか否かを判定する（ステップＳ６）。通信Ｉ／Ｆ２３を介して携帯電話機１００ａから通話もしくは発信が終了した旨が通知されると（ステップＳ６：ＹＥＳ）、制御部２０は操作部２５及び表示部２６の割り当てを解除する（ステップＳ７）。このとき、ステップＳ６の判定において、携帯電話機１００ａから通話もしくは発信が切断した旨が通知されされなかった場合には（ステップＳ６：ＮＯ）、ステップＳ６の判定を繰り返し行う。また、制御部２０は、通常モードに設定した携帯電話機１００ａ、１００ｂをハンズフリーモードに移行させるべく、通信Ｉ／Ｆ２３及び無線通信部２４を介して所定の制御コマンドを送信する（ステップＳ８）。これにより、このハンズフリー通話装置１０に接続された全ての携帯電話機１００ａ、１００ｂがハンズフリーモードに移行し、ハンズフリー通話に適した動作モードで動作することとなる。
【００３４】
すなわち、このハンズフリー通話装置１０は、発信を行う場合は、有線接続された携帯電話機１００ａを検索し、携帯電話機１００ａが検索された場合は、無線接続された携帯電話機１００ｂが存在しても、いずれかの携帯電話機１００ａを介して発信及びハンズフリー通話を行うようになっている。
【００３５】
これに対し、ステップＳ２の判定において、有線接続された携帯電話機１００ａが存在しないと判定した場合（ステップＳ２：ＮＯ）、制御部２０は、無線接続された携帯電話機１００ｂが存在するか否かを判定する（ステップＳ９）。そして、存在しない場合（ステップＳ９：ＮＯ）、制御部２０は、電話発信できない旨のメッセージを表示部２６に表示させる等の上記報知処理を行った後に、この電話発信処理を終了する。
【００３６】
一方、無線接続された携帯電話機１００ｂが存在する場合（ステップＳ９：ＹＥＳ）、制御部２０は、無線接続されたいずれか１台の携帯電話機１００ｂを使用対象の携帯電話機に設定し、その他の携帯電話機１００ｂを通常モードに移行させるべく、通信Ｉ／Ｆ２３（及び無線通信部２４）を介して制御コマンドを送信する（ステップＳ１０）。これにより、他の携帯電話機１００ｂは通常モードへ移行し、単独使用が可能となる。なお、無線接続された携帯電話機１００ｂが複数存在する場合は、予め定めた優先条件に従って最も優先度の高い携帯電話機１００ｂを使用対象の携帯電話機に設定すればよい。
【００３７】
次いで、制御部２０は、操作部２５及び表示部２６を、選択した携帯電話機１００ｂの操作に割り当て（ステップＳ１１）、操作部２５を介して電話番号や発信指示を入力すると、無線通信部２４を介してその携帯電話機１００ｂに対応するデータや発呼コマンドを送信することにより、携帯電話機１００ｂに発信処理を実行させる（ステップＳ１２）。この場合、制御部２０は、無線通信部２４を介して携帯電話機１００ｂから入力した音声（受話音声）をスピーカーから放音させると共に、収音部２７を介して入力したユーザーの音声（送話音声）は無線通信部２４を介して携帯電話機１００ｂに出力することにより、ユーザーはハンズフリー通話を行うことができる。
【００３８】
すなわち、このハンズフリー通話装置１０は、発信を行う場合は、有線接続された携帯電話機１００ａを検索し、携帯電話機１００ａが検索されない場合は、無線接続された携帯電話機１００ｂを検索し、携帯電話機１００ｂが検索された場合にこの携帯電話機１００ｂを介して発信を行ってハンズフリー通話を行うようになっている。
【００３９】
以上の説明のように、このハンズフリー通話装置１０は、有線接続された携帯電話機１０ａを優先的に使用してハンズフリー通話を行うようになっている。なお、有線接続された携帯電話機１００ａを優先使用するのは、そもそも、ユーザーの意志によって接続されたものであるため、優先度が無線接続された携帯電話機１００ｂより高いと判断されるからである。
【００４０】
ここで、上記のような、発信の際に、有線接続された携帯電話機１００ａを優先使用するという優先条件は、この発信処理を行うための制御プログラムに予めプログラミングされていてもよいし、記憶部２１にこの優先条件の情報を記憶し、制御部２０がこの情報を読み取ってこの優先条件に従って携帯電話機１００ａ、１００ｂを検索するようにしてもよい。
【００４１】
次に、このハンズフリー通話装置１０の電話着信時の動作を説明する。
【００４２】
図５は、この場合の動作を示すフローチャートである。なお、この動作は、上記電話発信処理を行わない場合に、定常的に実施される動作である。以下、説明の便宜上、携帯電話機１００ａ、１００ｂを特に区別する必要がない場合は、携帯電話機１００と表記する。
【００４３】
まず、制御部２０は、通信Ｉ／Ｆ２３或いは無線通信部２４を介して着信トリガー信号を入力されたか否かを判定することにより、携帯電話機１００のいずれかが着呼したか否かを判定する（ステップＳ２０）。制御部２０は、着呼を検知しない場合は（ステップＳ２０：ＮＯ）、この処理を繰り返し行うことで着信待ち状態となる。
【００４４】
着呼を検知した場合（ステップＳ２０：ＹＥＳ）、制御部２０は、着呼中の携帯電話機１００を除く他の携帯電話機１００を通常モードに移行させるべく、通信Ｉ／Ｆ２３及び無線通信部２４を介して所定の制御コマンドを送信し（ステップＳ２１）、他の携帯電話機１００を通常モードへ移行させる。
【００４５】
次いで、制御部２０は、操作部２５及び表示部２６を、着呼中の携帯電話機１００の操作に割り当てる（ステップＳ２２）。これにより、制御部２０は、操作部２５を介して通話指示を入力すると、その携帯電話機１００が有線接続されたものであれば通信Ｉ／Ｆ２３を介して、無線接続されたものであれば無線通信部２４を介して、所定の制御コマンドを送信することにより、携帯電話機１００を通話状態に切り替える。
【００４６】
続いて、制御部２０は、通信Ｉ／Ｆ２３又は無線通信部２４を介して携帯電話機１００から入力した音声（受話音声）をスピーカーから放音させると共に、収音部２７を介して入力したユーザーの音声（送話音声）を通信Ｉ／Ｆ２３又は無線通信部２４を介して携帯電話機１００に出力することにより、ユーザーはハンズフリー通話を行うことができる。
【００４７】
そして、制御部２０は、通信Ｉ／Ｆ２３又は無線通信部２４を介して携帯電話機１００から切断した旨が通知されると（ステップＳ２３：ＹＥＳ）、操作部２５及び表示部２６の割り当てを解除し（ステップＳ２４）、通信Ｉ／Ｆ２３及び無線通信部２４を介して所定の制御コマンドを送信し（ステップＳ２５）、全ての携帯電話機１００をハンズフリーモードに移行させる。
【００４８】
次に、本実施形態における無線通信部２４と携帯電話機１００ｂの自動接続動作について説明する。
【００４９】
先ず、事前準備としてユーザーは新たにこのシステムを利用する自動接続先（携帯電話機１００ａ、１００ｂ）の情報を、自動接続先記憶用データベース３４に記憶する。
【００５０】
本実施形態では、通信Ｉ／Ｆ２３及び無線通信部２４に接続される携帯電話機１００ａ、１００ｂを検出し、自動で接続処理を実行するという自動接続動作を、電源投入時及び電源投入後の所定の時間（例えば５分間）の間のみではなく、車両走行中にも行う。このとき、センサー４１により車速パルスを検出し、車速に応じて予め設定された周期で制御部２０が自動接続動作を行う。
【００５１】
図６は自動接続動作のフローチャートである。
車両の速度を、時速０ｋｍ、０ｋｍ超１０ｋｍ以下、１０ｋｍ超６０ｋｍ以下、６０ｋｍ超と、四つの速度領域に分け、時速０ｋｍのときに周期Ａ、０ｋｍ超１０ｋｍ以下のときに周期Ｂ、１０ｋｍ超６０ｋｍ以下のときに周期Ｃ、６０ｋｍ超のときに周期Ｄとそれぞれ速度に応じた自動接続動作の周期が違うモードを設ける。ここでは、速度が上昇するに従って周期は長くなるように設定する。即ち、Ａ＜Ｂ＜Ｃ＜Ｄとなっている。
【００５２】
先ず、ユーザーが電源を投入（ＡＣＣ  ＯＮ）する（ステップＳ３０）。
ユーザーにより電源が投入されると、センサー４１により、車両の車速が時速０ｋｍであるかを判定する（ステップＳ３１）。
【００５３】
ステップＳ３１において、センサー４１により、車速が時速０ｋｍ、つまり、停止していると判定されると（ステップＳ３１：ＹＥＳ）、この結果が通信制御回路３５を介してシステム制御回路３１に通知され、システム制御回路３１は、自動接続先記憶用データベース３４にアクセスし、自動接続先を特定し、無線通信制御回路３２を用いて周期Ａにて自動接続動作を行う（ステップＳ３２）。
【００５４】
ステップＳ３２において、接続が失敗した場合には（ステップＳ３２：接続失敗）は、ステップＳ３１に戻り、車速の判定から処理を繰り返す。
【００５５】
また、ステップＳ３２において、接続が成功した場合には（ステップＳ３２：接続成功）、制御部２０は通常のハンズフリー動作を開始する（ステップＳ３３）。
【００５６】
ステップＳ３１において、センサー４１により、車速は時速０ｋｍではないと判定された場合は（ステップＳ３１：ＮＯ）、次に車速が時速１０ｋｍ以下であるかを判定する（ステップＳ３４）。ここで、制御部２０により車速が時速１０ｋｍ以下であると判定されると（ステップＳ３４：ＹＥＳ）、ステップＳ３１で車速が時速０ｋｍであると判定したときと同様に、この結果が通信制御回路３５を介してシステム制御回路３１に通知され、システム制御回路３１は、自動接続先記憶用データベース３４にアクセスし、自動接続先を特定し、無線通信制御回路３２を用いて周期Ｂにて自動接続動作を行う（ステップＳ３５）。
【００５７】
ステップＳ３４において、センサー４１により、車速は時速１０ｋｍ以下ではないと判定された場合は（ステップＳ３４：ＮＯ）、次に車速が時速６０ｋｍ以下であるかを判定する（ステップＳ３６）。ここで、制御部２０により車速が時速６０ｋｍ以下であると判定されると（ステップＳ３６：ＹＥＳ）、ステップＳ３１で車速が時速０ｋｍであると判定したときと同様に、この結果が通信制御回路３５を介してシステム制御回路３１に通知され、システム制御回路３１は、自動接続先記憶用データベース３４にアクセスし、自動接続先を特定し、無線通信制御回路３２を用いて周期Ｃにて自動接続動作を行う（ステップＳ３７）。
【００５８】
ステップＳ３６において、センサー４１により、車速は時速６０ｋｍ以下ではないと判定された場合は（ステップＳ３６：ＮＯ）、ステップＳ３１で車速が時速０ｋｍであると判定したときと同様に、この結果が通信制御回路３５を介してシステム制御回路３１に通知され、システム制御回路３１は、自動接続先記憶用データベース３４にアクセスし、自動接続先を特定し、無線通信制御回路３２を用いて周期Ｄにて自動接続動作を行う（ステップＳ３８）。
【００５９】
なお、いずれの周期で自動接続を行っても、ステップＳ３２と同様の接続判定を行い、接続が失敗した場合には、ステップＳ３１に戻り、車速の判定から処理を繰り返し、接続が成功した場合には、制御部２０は通常のハンズフリー動作を開始する（ステップＳ３３）。
【００６０】
本発明により、車両の速度に応じた自動接続動作の周期の違うモードを設けて自動接続動作を行うことにより、無駄な電波放出を防止し、省電力なハンズフリー通話装置となる。
【００６１】
次に、第二実施形態について説明する。
本第二実施形態が第一実施形態と異なる点は、センサー４１としてドアの開閉センサー等を用いることにより、車両の走行と停止の２つの状態のみで自動接続動作の処理を行っていることである。
【００６２】
制御部２０による自動接続動作を、電源投入時及び電源投入後の所定の時間のみではなく、センサー４１により車両が停止していると判定したとき及び判定後の所定の時間（例えば３分間）においても行う。
【００６３】
新たな自動接続動作を行う必要があるのは、通常、携帯電話を持った新たな乗員が乗り込むときであって、センサー４１としてドアの開閉センサーを用いるのは、ユーザーが車両に乗り降りするときは常にドアが開閉されるためである。
【００６４】
制御部２０による具体的な動作を図７のフローチャートに示す。
先ず、ユーザーが電源を投入（ＡＣＣ  ＯＮ）する（ステップＳ４０）。
次に、ユーザーにより電源が投入されると、センサー４１により、車両の走行／停止を判定する（ステップＳ４１）。
【００６５】
ステップＳ４１において、センサー４１により、車両は停止していると判定されると（ステップＳ４１：停止）、この結果が通信制御回路３５を介してシステム制御回路３１に通知され、システム制御回路３１は、自動接続先記憶用データベース３４にアクセスし、自動接続先を特定し、無線通信制御回路３２を用いて自動接続動作を行う（ステップＳ４２）。
【００６６】
ステップＳ２８において、接続が成功した場合には（ステップＳ４２：接続成功）、制御部２０は通常のハンズフリー動作を開始する（ステップＳ４３）。
【００６７】
ステップＳ４１において、センサー４１により、車両は走行していると判定された場合（ステップＳ４１：走行）、または、ステップＳ２８において接続が失敗した場合（ステップＳ４２：接続失敗）は、ステップＳ４１に戻り、車両の走行／停止の判定から処理をもう一度行う。
【００６８】
本発明によれば、制御部２０による自動接続動作が、電源投入時及び電源投入後の所定の時間のみに行われることにより、ユーザーが電源投入後の所定の時間を越えた後に乗車した場合でも、自動接続動作が行われないといった不具合が起きない。また、この不具合を起こさないために、車両走行中にも制御部２０が自動接続動作を常に繰り返すようにする必要もないので、無駄な電波放出を防止し、省電力なハンズフリー通話装置となる。
【００６９】
以上、二つの実施形態に基づいて本発明を説明したが、本発明は、これに限定されるものではない。
【００７０】
第一実施形態では車速を複数（実施形態では四つ）の段階に分け、車速毎に自動接続動作の周期（実施形態ではＡ〜Ｄ）を設定しているが、車両の速度に比例させて周期を長くするといったように、自動接続動作を実行する周期を無段階に変化させてもよい。
【００７１】
また、第一及び第二実施形態共に、Ｂｌｕｅｔｏｏｔｈ規格に準拠した近距離無線通信を用いているが、無線ＬＡＮ規格等に準拠した近距離無線通信であってもよい。また、システム制御回路３１が、自動接続先記憶用データベース３４にアクセスし、自動接続先を特定し、無線通信制御回路３２を用いて自動接続動作を行う際に、この自動接続動作までに十分な時間がある場合には、システム制御回路３１は自動接続動作をする前に、無線通信制御回路３２を用いて周辺の携帯電話機１００の検索を行ってもよい。
【図面の簡単な説明】
【００７２】
【図１】本実施形態に係るハンズフリー通話装置の機能構成を示すブロック図である。
【図２】ハンズフリー通話装置の制御部の機能構成を示すブロック図である。
【図３】携帯電話機の機能構成を示すブロック図である。
【図４】ハンズフリー通話装置の電話発信時の動作を示すフローチャートである。
【図５】ハンズフリー通話装置の電話着信時の動作を示すフローチャートである。
【図６】第一実施形態における自動接続動作を示すフローチャートである。
【図７】第二実施形態における自動接続動作を示すフローチャートである。
【符号の説明】
【００７３】
１０  通話装置（ハンズフリー通話装置）
２０  制御部（自動接続部、自動接続制御部）
４１  センサー（車速センサー、ドア開閉センサー）
１００ａ  携帯電話機（有線通信端末）
１００ｂ  携帯電話機（無線通信端末）
【図１】
2006129115.tif 000003
【図２】
2006129115.tif 000004
【図３】
2006129115.tif 000005
【図４】
2006129115.tif 000006
【図５】
2006129115.tif 000007
【図６】
2006129115.tif 000008
【図７】
2006129115.tif 000009